(57)【要約】  光学的若しくはビデオ−フォトグラフィック装置のための支持ヘッドは、ヘッドのベースに係わる装置の回転の第１の軸（Ｚ）で横移動される第１のボディ（３０２）と、第１の軸に係わり回転するために第１のボディに回転方法を連結されている第２のボディ（３０３）と、前記ヘッドのベースに係わり、第１の軸に実質的に直角に交わる装置の回転の第２の軸（Ｘ）で横断され、第２の軸に係わり回転するために第２のボディに回転方法を連結されている第３のボディ（３０４）と、第１の軸（Ｚ）に係わり第1及び第２のボディ（３０２、３０３）の関連する回転及び第２の軸Ｙに係わる第２及び第３のボディ（３０３、３０４）の回転の両方を、使用者によって直接的に実行され得るコントロールメンバ（３３１）の１つの可動部によってロックできるロッキング手段（３３０）と、を有する。ロッキング手段は、第２の軸（Ｘ）に従うコントロールメンバから延長し、第２の軸に従う移動で動かされるタイロッド（３５０）と、タイロッドに接続され、第１のボディ（３０２）及び第２のボディ（３０３）の間に配置されるスライダ（３５５）と、前記スライダ及び／若しくは第１若しくは第２のボディに規定される第１及び第２の両方に係わる傾斜された表面（３５３）と、を有し、スライダは、第２のボディに係わる第１のボディの関連する回転をロックし、第３のボディに係わり第２のボディの関連する回転をロックする第３のボディに対して第２の軸に従って第２のボディを動かすために、第２のボディに対して第１の軸に従って第１のボディを動かすように、傾斜された面の連絡で第１若しくは第２のボディに隣接する。
2013527485.tif 000002
【特許請求の範囲】
【請求項１】
ヘッドのベースに係わる装置の回転の第１の軸（Ｚ）で横移動される第１のボディ（３０２）と、
前記第１の軸に対して回転するために前記第１のボディへ回転態様に連結されている第２のボディ（３０３）と、
前記ヘッドのベースに係わり、前記第１の軸に実質的に直角に交わる前記装置の回転の第２の軸（Ｘ）で横移動され、前記第２の軸に係わり回転するために前記第２のボディへ回転態様に連結されている第３のボディ（３０４）と、
前記第１の軸（Ｚ）に係わり、前記第1及び第２のボディ（３０２、３０３）の前記回転及び前記第２の軸Ｙに係わり前記第２及び第３のボディ（３０３、３０４）の前記回転の両方を、使用者によって直接的に実行され得るコントロールメンバ（３３１）の１つの可動部によってロックできるロッキング手段（３３０）と、を具備し、
前記第２の軸（Ｘ）に従う前記コントロールメンバから延長し、前記第２の軸に従う移動で動かされるタイロッド（３５０）と、当該タイロッドに接続され、前記第１のボディ（３０２）及び第２のボディ（３０３）の間に配置されるスライダ（３５５）と、前記スライダ及び／若しくは前記第１若しくは第２のボディに規定される前記第１及び前記第２の両方に係わる傾斜された表面（３５３、３５７）と、を有し、
前記スライダは、前記第２のボディに係わる前記第１のボディの関連する回転をロックし、且つ、前記第３のボディに係わり前記第２のボディの関連する回転をロックする前記第３のボディに対して前記第２の軸に従って前記第２のボディを動かすために、前記第２のボディに対して前記第１の軸に従って前記第１のボディを動かすように、前記傾斜された面の対応で前記第１若しくは第２のボディに隣接する、ことを特徴とする光学若しくはビデオ−フォトグラフィック装置の支持ヘッド。
【請求項２】
前記第１のボディは、第１の部分（３０３ａ）及び前記第１の軸（Ｚ）に係わり前記第１のボディと反対に設置された前記第２のボディの第２の部分（３０３ｂ）の間に収納されている、請求項１の支持ヘッド。
【請求項３】
前記スライダは、前記第１のボディ（３０２）及び前記第２の前記第２の部分（３０３ｂ）の間に収納されているので、前記第２の部分は、前記第１の軸（Ｚ）に従って前記第１のボディから離れるように移動される場合に、前記第２のボディの前記第１の部分（３０３ａ）は、前記第１のボディと逆の方向へ動かされる、請求項２の支持ヘッド。
【請求項４】
前記第２のボディの前記第２の部分（３０３ｂ）に規定された対応する傾斜された面（３５７）で終端になる前記第１及び前記第２の軸の両方に係わり傾斜される面（３５３）を有する、請求項３の支持ヘッド。
【請求項５】
前記傾斜される面は、前記第２の軸（Ｘ）に係わり２０°及び３０°の間に含まれる角度で傾斜される、請求項４の支持ヘッド。
【請求項６】
前記傾斜される面（３５３）は、前記第２の軸に係わり２５°の角度で傾斜される、請求項５の支持ヘッド。
【請求項７】
高摩擦係数を有するリング（３１２）は、前記第２のボディの前記第１のボディ（３０２）及び第１の部分（３０３ａ）の間に配置される、請求項３乃至６のいずれか１の支持ヘッド。
【請求項８】
高摩擦係数を有するリング（３５４）は、前記第２のボディ（３０３）及び前記第３のボディ（３０４）の間に配置される、請求項１乃至７のいずれか１の支持ヘッド。
【請求項９】
前記コントロールメンバ（３３１）は、前記第２の軸（Ｘ）に係わり前記第２のボディ（３０３）と反対側の前記第３のボディ（３０４）に連結されたノブ（３４０）を有し、前記第３のボディに関連する回転の第２の軸に係わり回転できない前記ノブは、前記第３のボディに関連する回転の前記第２の軸に係わり回転でき、前記タイロッド（３５０）にねじ嵌合されるので、前記ノブの回転は、前記タイロッドを前記回転の第２の軸に従う並進での移動を生じる、請求項１乃至８のいずれか１の支持ヘッド。
【請求項１０】
前記第１の軸（Ｚ）を規定するピン（３０７）は、前記第１及び前記第２のボディ（３０３）の間に設置され、前記スライダは、前記ピンで横移動される貫通穴を有する、請求項１乃至９のいずれか１の支持ヘッド。
【請求項１１】
前記第３のボディ（３０４）は、前記ヘッドの外部の支持に連結するための手段を設けられた前記ヘッドのベースを有し、前記第１のボディ（３０２）は、前記光学的若しくはビデオ−フォトグラフィックへの取り付け具のための手段（５）で設置され、前記回転の第１の軸は、前記ヘッドの水平の軸（Ｚ）を規定し、前記回転の第２の軸は、前記ヘッドの傾斜軸（Ｘ）を規定する、請求項１乃至９のいずれか１の支持ヘッド。
【発明の詳細な説明】
【技術分野】
【０００１】
本発明は、主請求項の前文に設定される技術的特徴を有する光学的若しくはビデオ−フォトグラフィック装置のための支持ヘッドに関する。
【背景技術】
【０００２】
本発明は、２つの互いに直交する軸に動き回り、光学的若しくはビデオ−フォトグラフィック装置の回転移動を許容する支持ヘッドにさらに細部に亘って向かわせられる。
【０００３】
参照される技術分野において、所謂パン軸若しくは傾斜軸、又は、水平軸に関連して光学的若しくはビデオ−フォトグラフィック装置の回転を許容する支持ヘッドが知られている。
【０００４】
支持ヘッドにビデオ−フォトグラフィック装置を取り付けるための１つの標準の構造で、パン軸は、垂直軸であり、（フレイミングショット、例えば、パノラマショットで水平な調整するために有益な）同一の水平な平面で維持することによって装置を回転することを典型的に供給し、傾斜軸は、（フレイミングショットを垂直に調整するための）装置の光軸を通って延長する垂直な平面で維持することによって装置を回転することを供給する水平な軸であり、水平軸は、水平位置（横方向位置）から装置の垂直位置（縦方向位置）へ移動するために有益な、装置の光軸に直角であり垂直な平面で維持することによって装置を回転することを供給する水平な軸である。
【０００５】
３つの前述の軸の少なくとも２つに係わり回転できる支持ヘッドを部分的に適用される。
【０００６】
これらの支持ヘッドは、各回転の軸で分離及び隔離するロッキング機構を提供され得る、若しくは、反対に、使用者によって単独移動の両軸に関連する回転の同時に起こるロッキング／アンロッキングを許容する機構を設置され得る。
【０００７】
この分野で広く適用される別のタイプの機構例は、例えば、米国特許６，７３９，５５９号公報に記載され、半円筒形状の断面を有し、同時に傾斜軸を規定するアタッチメントを延長する、パン軸を規定するピンに接続される第１の弾性的な収縮性のカラーを一時的に有する。このカラーは、２つの隣接した端部で開口する第１のカラーである。従って、それぞれ、固定メンバを動かすことによって選択的に一緒に移動され得るアタッチメントを延長する、２つの端部で開口する第２の弾性的な収縮性のカラーを、第１のカラーの２つの半円筒形状のアタッチメントに係わって、取り付けられる。さらに、第２のカラーは、ビデオ−フォトグラフィック装置のためのアタッチメント手段がさらに設置され、第１のカラーが延長するピンは、三脚若しくは同様なものの、支持構成要素に接続され得る（若しくは一部分である）。
【０００８】
この装置におけるロッキングは、ピンの周辺で第１のカラーを固定することに伴う移動に従って、第１のカラーの２つの半円筒形状に関わる第２の収縮性のカラーのアタッチメントと同時に動く１つの固定部材、例えば、ネジシャフトによりもたらされる。この方法で、第２のカラーは、第１の空のアタッチメントの周辺で固定し、傾斜軸に係わる回転をロックし、第１のカラーは、ピンの周辺で固定され、パン軸に係わる回転をロックする。
【０００９】
しかし、前述した知られた解決方法は、幾つかの問題があり、その１つは、２軸に関連する非同時性のロッキングにより構成される。
【００１０】
実際に、２軸のロッキングは、時間の完全に区別できる連続的な瞬間に頻繁に生じる。このような問題は、寸法の取扱い及び装置の構成要素の異なる剛性に実質的に起因することができ、これは、所定の部材の適用と、低い寸法の許容誤差で非常に精密である制御の処置とによって制限され得る。しかし、これは、この技術的解決方法の最大の利益、すなわち、高い費用効率を構成する態様に反して費用の増大を引き起こす。ロッキング機構のこの型式での直面する他の困難は、カラーの固定移動の間の第１及び／若しくは第２のカラーの非常に小さい望まれない回転を引き起こす“ドリフト“効果である。
【発明の概要】
【００１１】
本発明によって対処されるこの課題は、これらの回転の２つの軸に関連する回転をロックするために単独の操作を設置され、引用された先行技術に関連して前で設定された限定を克服するために構造的に、且つ、機能的に構成されている光学的若しくはビデオ−フォトグラフィック装置のための支持ヘッドを実現することである。
【００１２】
この課題は、添付された請求項に関連して実現される支持ヘッドによる本発明によって解決される。
【００１３】
本発明の特徴及び効果は、以下に添付された図面に関連して非限定の例によって示される本発明の最適な実施形態の詳細な説明からさらに理解されるだろう。
【図面の簡単な説明】
【００１４】
【図１】図１は、本発明の光学的若しくはビデオ−フォトグラフィック装置の支持ヘッドの概略的な斜視前面図である。
【図２】図２は、図１の支持ヘッドの長手断面図である。
【図３】図３は、図２のように区分された支持ヘッドの斜視図である。
【発明を実施するための形態】
【００１５】
添付された図に関連して、本発明に関連する光学若しくはビデオ−フォトグラフィック装置ための支持ヘッドは、概して３００で設計されている。
【００１６】
このヘッド３００は、第２のボディ３０３を回転自在に接続され、第３のボディ３０４を同様に、回転の能力を伴って、取り付けられ、ヘッド３００のベースを形成する第１のボディ３０２を有する。
【００１７】
第１のボディ３０２は、支持ヘッド３００の水平なボディを形成し、添付された図面には示されない光学若しくはビデオ−フォトグラフィック装置を取り付けるための手段５を設置される。
【００１８】
第２のボディ３０３は、支持ヘッド３００の傾斜ボディを形成し、水平軸Ｚを規定するねじピン３０７によって第１のボディ３０２に関連して回転自在な接続を維持され、第１及び第２のボディ３０２、３０３の両方を横断し、支持ヘッドのベースに関連して装置の回転の第１軸を形成する。
【００１９】
第２のボディ３０３は、３０３ａ、３０３ｂ及び３０３ｃで設計され、互いに固定して連結される３つの異なる部分を有し、ここで第１及び第２の部分３０３ａ及び３０３ｂは、水平軸Ｚに関連して第１のボディ３０２の軸方向で向かい側に設置され、第３の部分３０３ｃは、水平な軸Ｚに垂直で、支持ヘッド３００の傾斜軸を形成するヘッド３００の第２の軸Ｘに従う第２の部分３０３ｂから水平方向に延長する。
【００２０】
流体型カートリッジ３１３は、第１のボディ３０２及び第２のボディ３０３の第１の部分３０３ａの間に配置されている。
【００２１】
第２のボディ３０３の第３の部分３０３ｃは、傾斜軸Ｘに関連して回転されるように第３のボディ３０４に接続され、流体型カートリッジ３０５は、さらに、第２及び第３のボディ３０３、３０４の間に配置されている。
【００２２】
第３のボディ３０４は、例えば、三脚若しくは一脚のような、支持ヘッドに結合して通常適用される支持ヘッド３００を他の支持構造に接続するための取り付け手段を設置された支持ディスク６を有する。
【００２３】
支持ディスク６の軸は、ヘッド３００のベースに関連する光学的若しくはビデオ−フォトグラフィック装置の回転のパン軸Ｙを規定する。第３のボディ３０４は、パン軸Ｙに動き回って回転するように支持ディスク６に連結されるパンボディ２も有し、また、パンロック手段３及びパン摩擦手段４が支持ディスク６に関連してパンボディ２の回転をロックし、夫々、摩擦を生じるように設けられる。
【００２４】
さらに、トルクバネ３１０を基づいて、第２のボディ３０３及び第３のボディ３０４の間に配置され、セレクタつまみ３１１によって操作される傾斜軸Ｘに動き回って回転される場合の光学若しくはビデオ−フォトグラフィック装置の重さの平衡を保つための手段が、設置されている。
【００２５】
水平軸Ｚに水平なピン３２０は、第１のボディ３０２で規定される適切な収納部３２１を嵌合するために第２のボディ３０３の第３の部分３０３ｂで受けられる。ピン３２０は、バネ３２２によって第１のボディ３０２に向かって促され、セレクタ３２３によって操作される。
【００２６】
収納部３２１は、第１及び第２のボディ３０２、３０３の間の特別な角度の関連する位置、例えば、０°及び９０°で好適に規定され、横方向位置及び縦方向位置の間で光学的若しくはビデオ−フォトグラフィック装置を移動するために有益である。
【００２７】
ヘッド３００は、さらに、第１の軸Ｚに係わる第１及び第２のボディ３０２、３０３の係わる回転及び第２の軸Ｘに係わる第２及び第３のボディ３０３、３０４の回転の間の両方をロック若しくはアンロックできるロッキング手段３３０を有する。
【００２８】
ロッキング手段３３０は、傾斜軸Ｘと同軸で、第２のボディ３０３の反対の側面で第３のボディ３０４に接続されるノブ３４０を含む操作メンバ３３１を有するので、ノブ３４０は、第３のボディ３０４に係わり傾斜軸Ｘに動き回って回転するための適用によって直接的に操作され得る。
【００２９】
さらに、ロッキング手段３３０は、傾斜軸Ｘに従う第２のボディ３０４及び第３のボディ３０３の第３の部分３０３ｃを通って延長するタイロッド３５０を有し、コントロールメンバ３３１にロッキング手段３３０の第１の端部と、スライダ３５５にロッキング手段３３０の反対側の端部とを接続される。
【００３０】
タイロッド３５０は、ノブ３４０に収納されるナット３４１のねじ方法に嵌合され、且つ、第３のボディ３０４に係わりタイロッド３５０の傾斜軸Ｘに関連する回転を制止する、非円形断面を有し、対応する断面を有する台座で受けられ、第３のボディ３０４に形成される部分３５１を有する。
【００３１】
このアレンジメントによって、ノブ３４０の回転は、タイロッド３５０及びスライダ３５５を傾斜軸Ｘに従って並進で移動することを生じさせる。
【００３２】
スライダ３５５は、第１のボディ３０２及び第２のボディ３０３の第２の部分３０３ｂの間に形成された収納部３５２で受けられて、タイロッド３５０によって移動される傾斜軸Ｘに従って移動可能である。
【００３３】
好適には、スライダ３５５は、ねじピン３０７によって横断されるトラフ穴を設置されたリングの形状を有する。
【００３４】
スライダ３５５を形成するリングは、水平な軸Ｚに平行な主軸と、傾斜軸に水平な、第１のボディ３０２に寄り掛かる第１のベース３５６と、同様に面が水平軸Ｚ及び傾斜軸Ｘの両方に係わり傾斜され、第２のボディ３０３の第２の部分３０３ｂに設置される対応する傾斜面３５７によりかかる第２の向かい側のベース３５３とを有する。
【００３５】
好適には、面３５３は、第３のボディ３０４に向かって傾斜され、２０°及び３０°、さらに好適には約２５°の間に含まれる角度の傾斜軸に係わり傾斜される。
【００３６】
スライダ３５５及びノブ３４０の間の初期の関連する位置は、ノブ３３３によって調節可能であり、ノブ３４０で同軸上に受けられる。このようにして、第２及び第３のボディ３０３、３０４の間の最小の摩擦が、調節可能である。
【００３７】
水平軸Ｚ及び傾斜軸Ｚに係わりヘッド３００に取り付けられた光学若しくはビデオ−フォトグラフィック装置の回転のロッキングは、ノブ３４０を回転することによって引き起こされ、傾斜軸Ｘに従うタイロッド３５０及びスライダ３５５の移動を生じる。
【００３８】
コントロールメンバ３３１に向かうスライダ３５５の軸Ｘに従う移動は、夫々の傾斜された面３５３、３５７の連絡において第２のボディ３０３の第２の部分３０３で途切れることを同等に生じ、それ故に、傾斜軸Ｘに平行な第１の成分及び平軸Ｚに平行な第３の成分を有する同一の力を伝える。この後者は、第２の部分３０３ｂを水平軸Ｚに従って第１のボディ３０２から離れて移動させ、結果として、第２のボディ３０３の第１の部分３０３ａを第１のボディ３０２と逆方向へ動かす。
【００３９】
このように、スライダ３５５の移動は、第２のボディ３０３の第１の部分３０３ａに対する水平軸Ｚに従う第１のボディ３０２の移動と、同時に、第３のボディ３０４に対して傾斜軸に従う第２のボディ３０３の移動も引き起こす。
【００４０】
ロッキング動作の作用を向上するために、高摩擦係数を有する部材を実現される第１のリング３１２及び第２のリング３５４は、第２のボディ３０３の第１のボディ３０２及び第１の部分３０３ａの間に、且つ、第３のボディ３０４及び第２のボディ３０３の第３の部分３０３ｃの間に配置されている。
【００４１】
好適には、ロックされるボディ３０２、３０３及び３０４の接触面を最大にするために、リング３１２及び３５４は、可能な限り大きい直径を有するセクションに設置されている。
【００４２】
ここで記載されている最良の実施形態において傾斜される面３５３は、スライダ３５３で規定され、対応する傾斜される面３５７は、第２の部分３０３ｂで規定されているが、同一の作用が、第１のボディ３０２、第２のボディ３０３及びスライダ３５５のいずれかで規定され得る、適切に傾斜され、或いは湾曲された唯一の面で得られることがわかる。
【００４３】
第２のボディ３０３にスライダ３５５によって適用される力が、コントロールメンバ３３１によって、傾斜軸Ｘに平行なこれの成分に関して、反発されるので、第３のボディ３０４は、コントロールメンバ３３１及び第２のボディ３０３の間で固定され、傾斜軸Ｘに係わりこれの関連する回転をロックする。
【００４４】
前述のロッキング手段３３０のアレンジメントのために、（水平軸Ｚ及び傾斜軸Ｘに関連する）回転効果的な同時性及び２つのロッキング動作の均一性が得られる。
【００４５】
さらに、ロッキング動作の間の角度移動は、さらに抑止され、除外し、若しくは、少なくとも実質的に“ドリフト効果”を制限する。
【００４６】
ロッキング手段３３０の構造は、ロッキング動作の増大する作用を許容することがわかるだろう、第２のボディ３０３に対する第１のボディ３０２の関連する移動と、第２のボディ３０３に対する第３のボディ３０４の関連する移動の両方は、夫々の回転軸に従って実行されるので、このために接線破壊に係わりさらなる効果的なロッキング動作を提供する。
【００４７】
ヘッド３００の回転をアンロッキングすることは、反対側でノブ３４０を回転することによって容易に引き起こされる。
【００４８】
従って、本発明は、引用された先行技術に関連して前で設定された問題を解決し、同時に複数の他の効果を提供し、（従って、過度に狭く、高価でない）”標準の“寸法の許容誤差の適用の可能性を有する。
【図１】
2013527485.tif 000003
【図２】
2013527485.tif 000004
【図３】
2013527485.tif 000005
【国際調査報告】
2013527485.tif 000006
2013527485.tif 000007